(57)【要約】【課題】ドアと加熱調理器本体との間隔調整をし易くし、加熱室の密閉性の確保や、ドアのガタツキの改善による円滑な扉の開閉、外観向上が可能すること。【解決手段】ドアアーム１９は一端が前記ドア１３に取り付けられ他端がドア１３を閉じる時にダンパ２４を押圧するよう配置し、かつドアガイドローラ２０の取り付け位置を調整しドアアーム１９の取り付け位置を移動した時、ダンパ２４が連動して移動するよう構成したものである。【選択図】図１
2011075125.tif 000002
【特許請求の範囲】
【請求項１】
開口部を有し被加熱物を収納する加熱室と、
マイクロ波を発生するマイクロ波発生手段と、
前記マイクロ波発生手段で発生したマイクロ波を前記加熱室に伝送する導波管と、
前記開口部に縦開き可能に設けたドアと、
前記ドアの開度を規制するドアアームと、
前記ドアアームを支持するローラと、
前記ドアアームに一端を固定し前記ドアを閉じる方向に付勢するドアバネと、
前記加熱室の外壁に並行し前記加熱室の前後方向に移動可能に取り付けた位置調整板と、前記ドアを閉じる時前記ドアに減衰力を与えるダンパと、を備え、
前記ドアアームは一端が前記ドアに取り付けられ他端が前記ドアを閉じる時に前記ダンパを押圧するよう配置し、かつ前記ローラの取り付け位置を調整し前記ドアアームの取り付け位置を移動した時前記ダンパが連動して移動するよう構成したマイクロ波加熱調理器。
【請求項２】
ローラとダンパとを位置調整板に設けた請求項１に記載のマイクロ波加熱調理器。
【発明の詳細な説明】
【技術分野】
【０００１】
本発明は、被加熱物を誘電加熱するマイクロ波加熱調理器において、ドアの開閉時に加熱調理器本体に加わる衝撃力を緩和させるマイクロ波加熱調理器に関するものである。
【背景技術】
【０００２】
電子レンジのようなマイクロ波加熱調理器は、被加熱物である食品を直接的に加熱でき、鍋や釜を準備する必要がない簡便さにより、日常生活において不可欠な調理器具になっている。そして、近年電子レンジの多機能化に伴い、従来からある、食品に対してマイクロ波を放射することで食品を加熱調理するマイクロ波加熱だけでなく、水蒸気により食品を加熱、またはマイクロ波と水蒸気との組み合わせにより加熱する製品が、実用化されている。
【０００３】
従来、マイクロ波加熱調理器においては、ドアを閉じる時に、マイクロ波加熱調理器本体に加わる衝撃力を緩衝する緩衝手段として、ダンパを搭載するものがある（例えば、特許文献１参照）。
【０００４】
図３は従来のマイクロ波加熱調理器の斜視図、図４は図３のマイクロ波加熱調理器においてドアを開けた状態から閉めようとする状態を示す側面図である。
【０００５】
図３、図４に示すように、特許文献１に記載のマイクロ波加熱調理器１においては、マイクロ波加熱調理器本体の内部に加熱室２を設け、食品である被加熱物を出し入れするため、加熱室２の前面開口部には縦開きのドア３が装着されている。このドア３は、ドアアーム４と、ドアガイドローラ５と、ダンパ６とにより、ヒンジ７を支点として開閉自在な構成となっている。そして、ドア３の下部両側がマイクロ波加熱調理器１本体に回動可能に軸支されており、ドア３を前後に回動させることにより、加熱室２の前面開口を開閉できる。ドアアーム４の後端には、ドア３をマイクロ波加熱調理器１本体側へ付勢する付勢部材である、ドアバネ８が設けられている。
【０００６】
ドア３は、このドア３のマイクロ波加熱調理器１本体への軸支部の上側、つまり、ドア３の両側における中途部には、前記軸支部とは別にドアアーム４の前端が枢支されている。このドアアーム４の後端には、ドア３を閉じる時、ドアバネ８によるマイクロ波加熱調理器１側からの付勢に対する衝撃力を、ドアアーム４を介して緩和するために、ダンパ６が設けられている。
【０００７】
このダンパ６は、加熱室２内にマイクロ波が放射されることや、蒸気発生機能が付加されている関係から、加熱室２内の密閉性を向上させて加熱室２からの漏れを防止するため、ドア３を閉めるためのドアバネ８として強力なバネを採用する傾向にあり、これに伴ってダンパ６の必要性が高まっている。
【０００８】
マイクロ波加熱調理器１本体の外装である外箱と加熱室２との空間内にはマイクロ波発振器、ヒータ、制御基板等の各種の電気部品８が配置されている。
【先行技術文献】
【特許文献】
【０００９】
【特許文献１】特開２００７−２１８５４４号公報
【発明の概要】
【発明が解決しようとする課題】
【００１０】
しかしながら、前記従来の構成では、ドア３は、それぞれ別々に設けた、下部２ヵ所の軸支部と２つのドアアーム４とにより、取り付けられているため、ドア３とマイクロ波加熱調理器１本体との間の隙間を適切に設け、スムーズなドア開閉ができるように組み立てることが容易ではなく、ドア３の前後、左右の開閉バランスが崩れて、スムーズな開閉動作が得られなくなることがあった。
【００１１】
また、ドア３の取り付けが不適切でドア３がガタツキ、ドア３とマイクロ波加熱調理器１本体との接触部分の損傷が発生したり、両者の間に隙間が生じ、電波漏れ、開閉動作不良、外観不良が発生したりするという課題があった。
【００１２】
そこで、例えばドア３とマイクロ波加熱調理器１本体との間隔を広く調整しようとすると、ドアアーム４とダンパ６とが、別々に取り付けられており、ドアアーム４をマイクロ波加熱調理器１本体の前面において手前側に移動させることにより、ドアアーム４とダンパ６との間隔が広くなり、緩衝効果の利き始めのタイミングが遅くなってしまう。逆に、ドア３と加熱調理器本体との間隔を狭く調整しようとすると、ドアアーム４をマイクロ波加熱調理器１本体の奥側に移動させることにより、ドアアーム４とダンパ６との間隔が狭くなり、緩衝効果の利きのタイミングが早くなってしまう、という課題があった。
【００１３】
本発明は、前記従来の課題を解決するもので、ドアと加熱調理器本体との間隔調整をし易くし、加熱室の密閉性の確保や、ドアのガタツキの改善による円滑な扉の開閉、外観向上が可能なマイクロ波加熱調理器を提供することを目的とする。
【課題を解決するための手段】
【００１４】
本発明のマイクロ波加熱調理器は、開口部を有し被加熱物を収納する加熱室と、マイクロ波を発生するマイクロ波発生手段と、前記マイクロ波発生手段で発生したマイクロ波を前記加熱室に伝送する導波管と、前記開口部に縦開き可能に設けたドアと、前記ドアの開度を規制するドアアームと、前記ドアアームを支持するローラと、前記ドアアームに一端を固定し前記ドアを閉じる方向に付勢するドアバネと、前記加熱室の外壁に並行し前記加熱室の前後方向に移動可能に取り付けた位置調整板と、前記ドアを閉じる時前記ドアに減衰力を与えるダンパと、を備え、前記ドアアームは一端が前記ドアに取り付けられ他端が前記ドアを閉じる時に前記ダンパを押圧するよう配置し、かつ前記ローラの取り付け位置を調整し前記ドアアームの取り付け位置を移動した時前記ダンパが連動して移動するよう構成したものである。
【００１５】
これによって、ドアと加熱調理器本体との間隔調整をし易くし、加熱室の密閉性の確保や、ドアのガタツキの改善による円滑な扉の開閉、外観向上が可能なことができる。
【発明の効果】
【００１６】
本発明のマイクロ波加熱調理器は、ドアと加熱調理器本体との間隔調整をし易くし、加熱室の密閉性の確保や、ドアのガタツキの改善による円滑な扉の開閉、外観向上を実現することができる。
【図面の簡単な説明】
【００１７】
【図１】本発明の実施の形態１におけるマイクロ波加熱調理器の外箱を一部きり欠いてドアを閉じた状態を示す側面図
【図２】図１においてドアを半開した状態を示す側面図
【図３】従来のマイクロ波加熱調理器の斜視図
【図４】図３のマイクロ波加熱調理器においてドアを開けた状態から閉めようとする状態を示す側面図
【発明を実施するための形態】
【００１８】
第１の発明は、開口部を有し被加熱物を収納する加熱室と、マイクロ波を発生するマイクロ波発生手段と、前記マイクロ波発生手段で発生したマイクロ波を前記加熱室に伝送する導波管と、前記開口部に縦開き可能に設けたドアと、前記ドアの開度を規制するドアアームと、前記ドアアームを支持するローラと、前記ドアアームに一端を固定し前記ドアを閉じる方向に付勢するドアバネと、前記加熱室の外壁に並行し前記加熱室の前後方向に移動可能に取り付けた位置調整板と、前記ドアを閉じる時前記ドアに減衰力を与えるダンパと、を備え、前記ドアアームは一端が前記ドアに取り付けられ他端が前記ドアを閉じる時に前記ダンパを押圧するよう配置し、かつ前記ローラの取り付け位置を調整し前記ドアアームの取り付け位置を移動した時前記ダンパが連動して移動するよう構成することにより、位置調整板の取り付け位置を移動してドアと前板との間隔を調整しても、ドアガイドローラとダンパとを一体的に位置調整板に設けているので、ドアアームとダンパとの相対位置関係が変わることがなく、ドアと加熱調理器本体との間隔調整をし易くし、加熱室の密閉性の確保や、ドアのガタツキの改善による円滑な扉の開閉、外観向上を実現することができる。
【００１９】
第２の発明は、特に、第１の発明に、さらに、ドアガイドローラとダンパとを位置調整板に設けたことにより、ドアガイドローラの取り付け位置を調整し、ドアアームの位置を移動させた時ダンパをドアガイドローラを介してドアアームと連動させることができる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態におけるマイクロ波加熱調理器のドアを閉じた状態で外箱を一部切り欠いた側面図、図２は図１においてドアを開けた状態の側面図である。
【００２２】
同図において、本発明にかかるマイクロ波加熱調理器１０は、全体矩形状であり、外箱に覆われた本体１１と、本体１１の前面に縦開き可能に設けたドア１３とを有している。本体１１には、食器または包装容器に容れた被加熱物を載置する内部空間である加熱室１２と、この加熱室１２に連続する開口１７が設けられている。この加熱室１２の前面に設けた開口１７に設けたドア１３は、開口１７を閉じた時に、加熱室１２を密閉できるようになっている。
【００２３】
ドア１３の下部１３ａは、本体１１の底部１１ａの前方に回動軸１４が設けられ、この回動軸１４によって回動可能に軸支されている。また、ドア１３の前面上端部１３ｂには、ドア１３を開閉するための取っ手１５が設けられている。加熱調理器の使用者は、この取っ手１５を握ることにより、閉状態（図１参照）にロックされているドア１３のロックを外すことができ、ドア１３の上部１３ｂを引いて手前に倒して、被加熱物を加熱室１２内に出し入れできるようになっている。
【００２４】
また、加熱室１２と本体１１の外箱１１ｂとの間には、空間１６が形成されており、この空間１６には、マグネトロン（高周波発生手段）や、ヒータ、制御基板等の各種の電気部品（図示せず）が配置されている。
【００２５】
加熱室１２の側壁と本体１１の外箱１１ｂとの間には、側部空間１８が左右両側に設けられている。両側部空間１８には、一端部が支点によってドア１３に回動可能に接続され、ドア１３の開度を規制するドアアーム１９が、ドア１３の開閉に伴って移動可能に設けられている。
【００２６】
また、側部空間１８における本体１１側には、ドアガイドローラ２０（ローラ）が回転可能に取付けられており、ドアアーム１９の下辺を往復移動可能に支持している。なお、ドアアーム１９の下辺後端部に設けられている係止部１９ａがドアガイドローラ２０に当接すると、ドア１３はそれ以上開かないようにドア１３の開度を規制している（図２に示す状態）。
【００２７】
ドア１３は、パンチング孔を形成した金属板とガラスとを設け（図示せず）、マイクロ波透過を阻止し加熱室１２の一面を構成する役目を果たしているとともに、ドア１３を閉じた状態において、加熱室１２内を視認可能にしている。なお、ガラスの材質を特に限定するものではないが、例えば耐熱性が高く、透視性の良い材質で構成するとよい。
【００２８】
また、マイクロ波加熱調理器１０は、導波管に接続され幅方向寸法（約４００ｍｍ）が奥行き方向寸法（約３１０ｍｍ）より大きい形状の加熱室１２と、被加熱物である食品（図示せず）を載置するため加熱室１２内に固定され、セラミックやガラスなどの低損失誘電材料からなりマイクロ波が容易に透過できる性質のフラットな載置台２１と、加熱室１２内の載置台２１より下方に形成されるアンテナ空間（図示せず）と、このアンテナ空間内に設けられたアンテナ（図示せず）と、アンテナ空間に一端を開口しマグネトロンで発生したマイクロ波を伝搬しアンテナ空間を介して加熱室１２内にマイクロ波を放射する導波管（図示せず）を備えている。
【００２９】
また、加熱室１２の上面部には、電熱加熱を行うことができるヒータ（図示せず）が、設置されている。
【００３０】
そして、操作部２２が、ドア１３の前面下部に配置されている。操作部２２は、加熱調理器の使用者が、食品や調理内容に応じて、様々な調理メニューを選択できるものであり、操作部２２からの出力信号に基づき、制御手段はマグネトロンやモータを制御することにより、これらメニューを実行する。
【００３１】
ドアアーム１９は外形が略Ｌ字状であり、屈曲部を上にした状態（上に凸状）で左右両側の側部空間１８内にそれぞれ設けられている。
【００３２】
ドアアーム１９のドア１３側とは反対側の端部には、押圧部２３が形成されている。これにより、ドアアーム１９は、一端をドア１３に接続し、他端をドア１３の閉動作時にダンパ２４のピストン２４ａに当接し押圧して、ドア１３閉動作に減衰力を付与するよう配置している。各ダンパ２４は、例えばオイル、エアー、グリス、摩擦方式により、ピストン２４ａをシリンダ内部に押し込む衝撃力を吸収して緩和するものである。なお、ダンパ２４の内部には復帰バネ（図示せず）が設けられており、ピストン２４ａを押す力が解放されると、ピストン２４ａは所定の原点（図２で示す位置）まで、復帰するようになっている。
【００３３】
位置調整板２５も、ドアアーム１９と同様に左右両側の側部空間１８内に設けられ、加熱室１２の外壁に並行し加熱室１２の前後方向に取り付け位置を移動可能に取り付けている。この位置調整板２５には、ドアガイドローラ２０とダンパ２４とが固定されている。また、位置調整板２５とドアアーム１９との間にはドアバネ２６が設けられており、常時、ドアアーム１９の他端を後方下向きに付勢している。これにより、ドア１３の開閉時に、ドアアーム１９を介してドア１３を閉じる方向に付勢するとともに、ドアアーム１９が、ドアガイドローラ２０から脱落しないようになっている。
【００３４】
次に、図１、図２を参照して、本実施の形態１のマイクロ波加熱調理器の動作について
説明する。
【００３５】
まず、図２では、ドア１３は半開されており、ドアアーム１９は前方（図中左方向）へ引き出されている。この状態では各ダンパ２４のピストン２４ａは、ドアアーム１９の押圧部２３から離れている。
【００３６】
図２に示すように、開状態から矢印Ａ方向にドア１３を閉じると、ドアバネ２６がドアアーム１９を奥側（図中左側）へ引き込むので、ドア１３は閉じようとする。従って、ドア１３の回動に伴ってドアアーム１９が図中右方向（矢印Ｂ方向）へ移動することになる。そして、図１に示すように、ドア１３の開度が所定の角度に達すると、ドアアーム１９の先端に取付けられている押圧部２３の接触面が、前方へ突出しているダンパ２４のピストン２４ａの先端に当接する。そのままさらにドア１３を閉じると、ドアアーム１９は押圧部２３でピストン２４ａをシリンダの内部に押し込みながら移動する。
【００３７】
これにより、ドア１３が閉じようとする力を吸収するので、ドア１３はゆっくりと閉じる。すなわち、ダンパ２４の緩衝力が作用することになり、ドア１３はスピードダウンをしながら閉じられる。
【００３８】
以上、説明した本発明にかかるマイクロ波加熱調理器１０によれば、加熱室１２の開口面に取付けられているドア１３を閉じる際に、ダンパ２４作動するため、ドア１３は開動作スピードを急激に低下することなく、円滑に閉成していくことになり、かつ、ドア１３が閉じて本体１１の前面に接触するときには最も強い減衰力を得ることができるので、ドア１３の閉成動作を円滑に維持しながら、閉じる際の衝撃を有効に小さくすることができる。これに伴い、ドア１３を閉じるドアバネ２６として強力なものを用いることができ、加熱室１２の密閉性を向上させることができる。
【００３９】
なお、本実施の形態では、加熱室１２の下方から加熱室１２内にマイクロ波を放射したが、アンテナ空間を加熱室１２の上方に設け、加熱室１２の上方からマイクロ波を放射し、加熱皿の下面へマイクロ波を回り込ませてもよい。
【００４０】
本発明を詳細にまた特定の実施態様を参照して説明したが、本発明の精神と範囲を逸脱することなく、様々な変更や修正を加えることができることは、当業者にとって明らかである。
【産業上の利用可能性】
【００４１】
以上のように、本発明は、ドアが閉じる際の衝撃を有効に小さくすることができ、ドアを閉じるドアバネに強力なものを用いることができるので、密閉性を向上させることができるという効果を有し、ドアの開閉時に加熱調理器本体に加わる衝撃力を緩和させるマイクロ波加熱調理器等として有用である。
【符号の説明】
【００４２】
１０  マイクロ波加熱調理器
１２  加熱室
１３  ドア
１７  開口部
１９  ドアアーム
２０  ドアガイドローラ
２４  ダンパ
２５  位置調整板
２６  ドアバネ
【図１】
2011075125.tif 000003
【図２】
2011075125.tif 000004
【図３】
2011075125.tif 000005
【図４】
2011075125.tif 000006